(57)【要約】【課題】足指の付け根や歯茎等の凹凸の大きい患部にも薬物イオンを投与できるようにした粘土型イオントフォレーシス装置を提供する。【解決手段】イオントフォレーシス装置１０は、作用側電極構造体２０及び非作用側電極構造体４０とこれらに接続される直流電源１２とを有してなり、作用側電極構造体２０は、投与すべき薬物イオンとなる薬物が配合され、且つ、塑性変形自在の粘土状物質２２と、この粘土状物質２２の中の任意の位置に挿入可能な棒状に設けられ、且つ、直流電源１２における薬物イオンと同種の極性に接続される作用側電極２４とから構成されていて、使用の際は、粘土状物質２２を患部の凹凸形状に合わせて塑性変形させて、患部に密着させてから、患部に近い位置で、粘土状物質２２中に作用側電極２４を挿入してセットする。【選択図】図１
2007135882.tif 000002
【特許請求の範囲】
【請求項１】
イオントフォレーシスにより薬物イオンを投与するために使用される作用側電極構造体と、これに対して対極となる非作用側電極構造体と、これらの作用側電極構造体及び非作用側電極構造体に異なる極性で接続される直流電源と、を有し、
前記作用側電極構造体は、
塑性変形可能とされ、前記薬物イオンとなる薬物が配合された粘土状物質と、
前記直流電源における前記薬物イオンと同種の極性に接続されると共に、前記粘土状物質に、電気的に接続可能な作用側電極と、
を有してなる粘土型イオントフォレーシス装置。
【請求項２】
請求項１において、
前記作用側電極は、前記粘土状物質中の任意の個所に挿入して設定可能に設けられたことを特徴とする粘土型イオントフォレーシス装置。
【請求項３】
請求項１又は２において、
前記粘土状物質が充填される容器と、粘土状物質が充填された状態で前記容器を密封すると共に容器から取脱自在のシール部材と、を有することを特徴とする粘土型イオントフォレーシス装置。
【請求項４】
請求項３において、
前記容器は、前記充填された粘土状物質を押出すように弾力的に変形可能とされたことを特徴とする粘土型イオントフォレーシス装置。
【請求項５】
請求項３又は４において、
前記シール部材は、その一部又は全部が前記作用側電極となるように構成されていることを特徴とする粘土型イオントフォレーシス装置。
【請求項６】
請求項１乃至５のいずれかにおいて、
前記作用側電極は、折り曲げ、巻き、湾曲の少なくとも一つの変形が自在のシート状とされたことを特徴とする粘土型イオントフォレーシス装置。
【請求項７】
請求項１乃至４のいずれかにおいて、
前記作用側電極は、棒状あるいは板状の炭素、銀、塩化銀、金、白金、アルミニウムのいずれかからなることを特徴とする粘土型イオントフォレーシス装置。
【請求項８】
請求項１乃至６のいずれかにおいて、
前記作用側電極は、シート状の炭素繊維、銀、塩化銀、金、白金、アルミニウムのいずれかからなることを特徴とする粘土型イオントフォレーシス装置。
【請求項９】
請求項１乃至８のいずれかにおいて、
前記非作用側電極構造体は、前記薬物イオンと反対のイオンを選択する非作用側イオン交換膜と、
前記直流電源における、前記薬物イオンと反対の極性に接続された非作用側電極と、この非作用側電極の前面に配置された電解液保持部と、を少なくとも有してなることを特徴とする粘土型イオントフォレーシス装置。
【発明の詳細な説明】
【技術分野】
【０００１】
本発明は、粘土状物質を利用して薬物イオンを生体に投与するための粘土型イオントフォレーシス装置に関する。
【背景技術】
【０００２】
イオントフォレーシス装置としては、例えば特許文献１に記載されるように、作用側電極構造体及び非作用側電極構造体を有し、作用側電極構造体のイオン交換膜から薬物イオンを皮膚や粘膜に浸透させるものがある。
【０００３】
上記のようなイオントフォレーシス装置は、その先端の、円形等の平面状のイオン交換膜を、皮膚や粘膜に密着させて薬物イオンを投与するようにしている。
【０００４】
しかしながら、イオントフォレーシス装置によって薬物イオンを投与する皮膚や粘膜は、必ずしも平坦ではなく、例えば、水虫の場合、足指の付け根部分が患部となることが多く、この部分には、従来の作用側電極構造体の薬物放出部位を密着させることは困難である。又、歯科における歯茎等への麻酔薬の投与、歯周病治療薬の投与時にも同様の問題点がある。
【０００５】
【特許文献１】ＷＯ０３０３７４２５号公報
【発明の開示】
【発明が解決しようとする課題】
【０００６】
この発明は、例えば、足指の付け根等の、凹凸のある患部にも、薬物イオンを投与できるようにした粘土型イオントフォレーシス装置を提供することを解決課題とする。
【課題を解決するための手段】
【０００７】
本発明者は、鋭意研究の結果、粘土状に塑性変形自在な物質に、薬物イオンとなる薬物を含有（必ずしも全て溶解している必要はなく、懸濁していても良い）させ、この粘土状物質の外側あるいは粘土状物質中に、作用側電極を自在に配置し、使用時には、粘土状物質を、例えば足指と付け根のＶ字形状部に応じて塑性変形させて患部に密着させ、作用側電極から通電することによって足指付け根の凹凸のある患部に薬物イオンを投与できることを見出した。
【０００８】
即ち、以下の各実施例により、上記課題を解決することができる。
【０００９】
（１）イオントフォレーシスにより薬物イオンを投与するために使用される作用側電極構造体と、これに対して対極となる非作用側電極構造体と、これらの作用側電極構造体及び非作用側電極構造体に異なる極性で接続される直流電源と、を有し、前記作用側電極構造体は、塑性変形可能とされ、前記薬物イオンとなる薬物が配合（配合とは、添加、含浸あるいは溶解のことをいう）された粘土状物質と、前記直流電源における前記薬物イオンと同種の極性に接続されると共に、前記粘土状物質に、電気的に接続可能な作用側電極と、を有してなる粘土型イオントフォレーシス装置。
【００１０】
（２）前記作用側電極は、前記粘土状物質中の任意の個所に挿入して設定可能に設けられたことを特徴とする（１）に記載の粘土型イオントフォレーシス装置。
【００１１】
（３）前記粘土状物質が充填される容器と、粘土状物質が充填された状態で前記容器を密封すると共に容器から取脱自在のシール部材と、を有することを特徴とする（１）又は（２）に記載の粘土型イオントフォレーシス装置。
【００１２】
（４）前記容器は、前記充填された粘土状物質を押出すように弾力的に変形可能とされたことを特徴とする（３）に記載の粘土型イオントフォレーシス装置。
【００１３】
（５）前記シール部材は、その一部又は全部が前記作用側電極となるように構成されていることを特徴とする（３）又は（４）に記載の粘土型イオントフォレーシス装置。
【００１４】
（６）前記作用側電極は、折り曲げ、巻き、湾曲の少なくとも一つの変形が自在のシート状とされたことを特徴とする（１）乃至（５）のいずれかに記載の粘土型イオントフォレーシス装置。
【００１５】
（７）前記作用側電極は、棒状あるいは板状の炭素、銀、塩化銀、金、白金、アルミニウムのいずれかからなることを特徴とする（１）乃至（４）のいずれかに記載の粘土型イオントフォレーシス装置。
【００１６】
（８）前記作用側電極は、シート状の炭素繊維、銀、塩化銀、金、白金、アルミニウムのいずれかからなることを特徴とする（１）乃至（６）のいずれかに記載の粘土型イオントフォレーシス装置。
【００１７】
（９）前記非作用側電極構造体は、前記薬物イオンと反対のイオンを選択する非作用側イオン交換膜と、前記直流電源における、前記薬物イオンと反対の極性に接続された非作用側電極と、この非作用側電極の前面に配置された電解液保持部と、を少なくとも有してなることを特徴とする（１）乃至（８）のいずれかに記載の粘土型イオントフォレーシス装置。
【発明の効果】
【００１８】
この発明においては、作用側電極構造体が、薬物イオンとなる薬物が配合され、自由に塑性変形可能な物質を備えているので、足指の付け根のような、凹凸のある患部にも、確実に密着し、且つ、ここに薬物イオンを投与することができるという効果を有する。
【発明を実施するための最良の形態】
【００１９】
この最良の形態に係る粘土型イオントフォレーシス装置は、作用側電極構造体が、粘土状に塑性変形可能とされ、薬物イオンとなる薬物が配合された粘土状物質と、直流電源における薬物イオンと同種の極性に接続されると共に、前記粘土状物質に、電気的に接続して設けられた作用側電極とを有してなり、粘土状物質は患部の凹凸に応じて塑性変形して患部に密着させ、棒状あるいはシート状の作用側電極を粘土状物質中に挿入して設定する構成となっている。
【実施例１】
【００２０】
以下本発明の実施例１に係る粘土型イオントフォレーシス装置について、図１、図２を参照して詳細に説明する。
【００２１】
この実施例１に係る粘土型イオントフォレーシス装置１０は、イオントフォレーシスにより薬物イオンを投与するために使用される作用側電極構造体２０及び非作用側電極構造体４０と、これらの作用側電極構造体２０及び非作用側電極構造体４０に異なる極性で接続される直流電源１２と、を有している。
【００２２】
前記作用側電極構造体２０は、投与しようとする薬物イオンと同種のイオンを選択的に通過させるイオン交換性を持ち、且つ、粘土状に塑性変形可能とされ、前記薬物イオンとなる薬物が配合された粘土状物質２２と、前記直流電源１２における、前記薬物イオンと同種の極性に接続されると共に、前記粘土状物質２２に電気的に接続可能に設けられた作用側電極２４とを備えて構成されている。なお、前記薬物は粘土状物質２２に一部が溶解していてもよく、又、粘土状物質２２はイオン交換性のないものであってもよい。
【００２３】
前記作用側電極２４は、板状、扇状等の炭素（炭素繊維を含む）、銀、塩化銀、金、白金、アルミニウム等の人体に害のない材料からなり、前記粘土状物質中の任意位置に挿入して設定可能に設けられている。図１の符号２５は、前記作用側電極２４と電源１２とを接続するコードを示す。
【００２４】
前記粘土状物質２２は、前記薬物イオンと同種のイオンを選択的に通過させるイオン交換基が導入されたイオン交換樹脂を含む、例えばゾル、ゼラチンゲル、澱粉ゲルあるいは
粘稠物質から構成されていて、且つ、水等の溶媒に溶解することにより、薬効成分が薬物イオンに解離する薬物、例えば、水虫治療薬や抗生物質が配合されている。更に、前記粘土状物質２２は、主として電気浸透作用が働く場合、イオン交換樹脂を含んでいなくても良い。
【００２５】
ここで、粘土状物質２２は、粘土状に塑性変形できるものであればなんでも良く、身体（患部）の表面に沿って密着することが可能であることとされている。
【００２６】
前記粘土状物質２２に配合される薬物が水虫治療薬の場合は、例えば、イトラコナゾール（トリアゾール系抗真菌剤）、ウンデシレン酸−亜鉛（寄生性皮膚疾患用剤）、ウンデシレン・サリチル酸（寄生性皮膚疾患治療剤）、塩酸アモロルフィン（抗真菌剤）、塩酸クロコナゾール（イミダゾール系抗真菌剤）、塩酸テルビナフィン（アリルアミン系抗真菌剤）、塩酸ネチコナゾール（イミダゾール系抗真菌剤）、塩酸ブテナフィン（ベンジルアミン系抗真菌剤）、クロトリマゾール（抗真菌剤）、グリセオフルビン（抗糸状菌性抗生物質）、ケトコナゾール（イミダゾール系抗真菌剤）、サリチル酸（角質軟化・抗白癬剤）、酸化亜鉛（皮膚疾患治療剤）、シクロピロクスオラミン（抗真菌剤）、シッカニン（抗真菌抗生物質）、硝酸イソコナゾール（抗真菌剤）、硝酸エコナゾール（イミダゾール系抗真菌剤）、硝酸オキシコナゾール（イミダゾール系抗真菌剤）、硝酸スルコナゾール（イミダゾール系抗真菌剤）、トルナフタート（抗白癬剤）、トルナフタート・塩酸クロルヘキシジン（抗白癬剤）、ビホナゾール（抗真菌剤）、ミコナゾール（フェネチルイミダゾール系抗真菌剤）、モクタール（皮膚疾患外用剤）、ラノコナゾール（イミダゾール系抗真菌剤）、又は、リラナフタート（抗白癬剤）がある。
【００２７】
前記粘土状物質２２に配合される薬物が抗生物質の場合は、例えば、アクチノマイシンＤ、アジスロマイシン水和物、アズトレオナム、アセチルキタサマイシン、アセチルスピラマイシン、アモキシシリン、クラブラン酸カリウム、スルバクタムナトリウム、イミペネム、エチルコハク酸エリスロマイシン、エリスロマイシン、塩酸アクラルビシン、塩酸アムルビシン、塩酸オキシテトラサイクリン、塩酸オキシテトラサイクリン、塩酸オキシテトラサイクリン、塩酸スペクチノマイシン、塩酸セフェピム、塩酸セフォゾプラン、塩酸セフォチアム、塩酸セフォチアムヘキセチル、塩酸セフカペンピボキシル、塩酸セフメノキシム、塩酸テトラサイクリン、塩酸テトラサイクリン、塩酸デメチルクロルテトラサイクリン、塩酸ドキシサイクリン、塩酸ミノサイクリン、塩酸リンコマイシン、カルモナムナトリウム、キタサマイシン、吉草酸ベタメタゾン、クラリスロマイシン、クリンダマイシン、クロラムフェニコール、グリセオフルビン、コハク酸クロラムフェニコールナトリウム、コリスチンメタンスルホン酸ナトリウム、サイクロセリン、酢酸ミデカマイシン、シッカニン、酒石酸キタサマイシン、ジョサマイシン、ステアリン酸エリスロマイシン、セファクロル、セファゾリンナトリウム、セファトリジンプロピレングリコール、セファドロキシル、セファレキシン、セファロチンナトリウム、セフィキシム、セフォジジムナトリウム、セフォタキシムナトリウム、セフォテタン、セフォペラゾンナトリウム、セフジトレンピボキシル、セフジニル、セフスロジンナトリウム、セフタジジム、セフチゾキシムナトリウム、セフチブテン、セフテラムピボキシル、セフトリアキソンナトリウム、セフピラミドナトリウム、セフブペラゾンナトリウム、セフポドキシムプロキセチル、セフミノクスナトリウム、セフメタゾールナトリウム、セフロキサジン、セフロキシムアキセチル、タゾバクタムナトリウム、テイコプラニン、テリスロマイシン、トブラマイシン、ナイスタチン、バシトラシン、バシトラシン、パニペネム・ベタミプロン、パルミチン酸クロラムフェニコール、ビアペネム、ファロペネムナトリウム、フシジン酸ナトリウム、フロモキセフナトリウム、プロピオン酸ジョサマイシン、ベンジルペニシリンカリウム、ベンジルペニシリンベンザチン、ホスホマイシン、マイトマイシンＣ、ミデカマイシン、メロペネム三水和物、ラクトビオン酸エリスロマイシン、ラクトビオン酸エリスロマイシン、ラタモキセフナトリウム、リファンピシン、硫酸アストロマイシン、硫酸アミカシン、硫酸アルベカシン、硫酸イセパマイシン、硫酸エンビオマイシン、硫酸カナマイシン、硫酸ゲンタマイシン、硫酸コリスチン、硫酸シソマイシン、硫酸ジベカシン、硫酸ストレプトマイシン、硫酸セフォセリス、硫酸セフピロム、硫酸ネチルマイシン、硫酸フラジオマイシン、硫酸ブレオマイシン、硫酸ベカナマイシン、硫酸ペプロマイシン、硫酸ポリミキシンＢ、硫酸ミクロノマイシン、硫酸リボスタマイシン、又は、ロキシスロマイシン、ロキタマイシンがある。
【００２８】
前記粘土状物質２２に含まれるイオン交換樹脂は、これが陽イオン交換樹脂の場合は、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。
【００２９】
又、陰イオン交換樹脂の場合は、前記陽イオン交換樹脂と同様の３次元的な網目構造を持つ高分子に、１〜３級アミノ基、４級アンモニウム基、ピリジル基、イミダゾール基、４級ピリジウム基、４級イミダゾリウム基等の陰イオン交換基（対イオンが陰イオンである交換基）が導入されたイオン交換樹脂が制限無く使用できる。
【００３０】
前記非作用側電極構造体４０は、パッチ形状であり、ベースシート４２の一方の面上に前記直流電源１２となるボタン電池が一体的に設けられ、又、他方の面上には、非作用側電極４４、電極側電解液保持部４６、電極側イオン交換膜４８、先端側電解液保持部５０、先端側イオン交換膜５２がこの順で積層されている。前記非作用側電極４４は、前記直流電源１２の、薬物イオンと異なる極性に接続されている。
【００３１】
図１の符号５４は、前記先端側イオン交換膜５２の外側に、且つ、これと面一に配置された粘着剤層を示す。この粘着剤層５４は非作用側電極構造体４０を皮膚等に密着させるものである。
【００３２】
前記非作用側電極４４は、前記ベースシート４２の前記他方の面に塗布された、例えばカーボンペースト等の非金属導電フィラーが配合された導電材料から構成するとよい。この非作用側電極４４を銅版や金属薄膜によって構成することもできるが、ここから溶出した金属が薬物投与に際して生体に移行することも考えられるので、非金属性が好ましい。または、生体に悪影響のない金属が好ましい。
【００３３】
前記電極側電解液保持部４６は、前記非作用側電極４４に接触して配置された電解質から構成される。この電解質としては、水の電解反応（プラス極での酸化及びマイナス極での還元）よりも酸化又は還元され易い電解質、例えば、アスコルビン酸（ビタミンＣ）やアスコルビン酸ナトリウム等の薬物、乳酸、シュウ酸、リンゴ酸、コハク酸、フマル酸等の有機酸及び／又はその塩を使用することが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。前記先端側電解液保持部５０も同様の構成である。
【００３４】
又、これら電極側電解液保持部４６及び先端側電解液保持部５０の形態は、ガーゼや濾紙等の繊維シート、あるいは、アクリル系樹脂のヒドロゲル（アクリルヒドロゲル）、セグメント化ポリウレタン系ゲル等の高分子ゲルシート等、保水性を有する任意の素材よりなる担体に電解液を含浸又は含有させた構成とされている。又、電解液を液体状態で保持するものでもよい。
【００３５】
前記電極側イオン交換膜４８は、前記薬物イオンと異なるイオンを選択して通過させるイオン交換樹脂からなり、薬物保持部２８における薬効成分がカチオンに解離する薬物が使用される場合には陰イオン交換樹脂が配合され、逆に、薬効成分がアニオンに解離する薬物が使用される場合には陽イオン交換樹脂が配合される。
【００３６】
前記先端側イオン交換膜５２は、前記薬物イオンと同種のイオンを選択して通過させるイオン交換樹脂からなり、前記薬物イオンがカチオン又はアニオンの場合には、陽イオン交換樹脂又は陰イオン交換樹脂が配合される。
【００３７】
前記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。
【００３８】
又、上記陰イオン交換樹脂としては、前記陽イオン交換樹脂と同様の３次元的な網目構造を持つ高分子に、１〜３級アミノ基、４級アンモニウム基、ピリジル基、イミダゾール基、４級ピリジニウム基、４級イミダゾリウム基等の陰イオン交換基（対イオンが陰イオンである交換基）が導入されたイオン交換樹脂が制限無く使用できる。
【００３９】
図１の符号５５は、前記ベースシート４２を貫通して、非作用側電極４４と直流電源１２とを接続する接続端子を示す。前記直流電源１２と前記作用側電極構造体２０とは、前記コード２５を介して接続されている。
【００４０】
前記作用側電極２０において、前記粘土状物質２２は、保存時には容器２６内に収納され、且つ、蓋となるシールフィルム２８により密封されていて、薬物の放散が防止されるようになっている。
【００４１】
前記粘土状物質型イオントフォレーシス装置１０の使用時には、前記容器２６からシールフィルム２８を剥離して、容器２６を外側から押して弾力的に変形させること等により粘土状物質２２を押出す。または清潔な手で取り出してもよい。
【００４２】
次に、例えば足指の付け根の水虫を治療する場合は、粘土状物質２２を、先端がＶ字形になるように塑性変形させ、更に、これを図２に示されるように足指６０Ａ、６０Ｂの付け根（交差部）に挿入し、粘土状物質２２の表面形状を患部６２に対応する状態で塑性変形させて足指６０Ａ、６０Ｂ間に固定する。このとき、必要であれば、例えばポリエチレンフィルム等によって粘土状物質２２を患部と共に包み込んでもよい。更に、前記患部６２近くの位置で、前記粘土状物質２２中に前記棒状あるいは板状の作用側電極２４を挿し込んで、これをセットする。
【００４３】
次に、非作用側電極構造体４０の先端の先端側イオン交換膜５２を、前記足指近傍に接触して固定し、これにより、直流電源１２からの電流が、作用側電極２４、粘土状物質２２、足指６０Ａ、６０Ｂの患部６２、先端側イオン交換膜５２、先端側電解液保持部５０、電極側イオン交換膜４８、電極側電解液保持部４６、及び非作用側電極４４から直流電源１２に戻る回路を流れ、前記粘土状物質２２に配合されていた水虫治療薬はその薬効成分が薬物イオンとなり、粘土状物質２２の表面から足指６０Ａ、６０Ｂの付け根の患部６２に浸透されることになる。
【００４４】
このとき、粘土状物質２２は足指６０Ａ、６０Ｂの形状に沿って塑性変形が自在であるので、患部６２に確実に密着した状態であって、薬物イオンは高い輸率で、患部６２に投与される。又、治療中に、足指６０Ａ、６０Ｂを多少動かしても、粘土状物質２２の密着状態は変わらないので、十分な輸率を得ることができる。
【実施例２】
【００４５】
次に図３に示される本発明の実施例２に係る粘土型イオントフォレーシス装置７０について説明する。
【００４６】
この粘土型イオントフォレーシス装置７０における、作用側電極構造体７２は、折り曲げ、巻き、湾曲のうち少なくとも一つの変形が可能なシート状の作用側電極７４を用いたものである。即ち、シート状の作用側電極７４は、図４（Ａ）に示されるような折り曲げ形状７４Ａ、図４（Ｂ）に示されるような巻き形状７４Ｂ、図４（Ｃ）に示されるような湾曲形状７４Ｃに変形が可能な構成であり、例えば、銀、塩化銀等の作用側電極２４と同様の材料からなる膜、あるいは、これらを貼り合せた樹脂シート等からなっている。この作用側電極７４は変形後に、粘土状物質２２に挿入したり、貼着する。
【００４７】
この実施例２に係る粘土型イオントフォレーシス装置７０の、前記作用側電極構造体７２を除く構成は、前記実施例１の粘土型イオントフォレーシス装置１０の構成と同一であるので、同一部分において図１、図２におけるものと同一の符号を付することにより説明を省略するものとする。
【００４８】
この実施例２に係る粘土型イオントフォレーシス装置７０の作用側電極構造体７２におけるシート状の作用側電極７４は、変形が自在の構成であり、使用時には、粘土状物質２２の形状に合わせて最適の形状とすることができる。
【００４９】
なお、上記実施例２において、作用側電極７４を構成するシート状部材を、前記容器２６の蓋となるシールフィルム２８から構成してもよい。この場合、図５に示されるように、シールフィルム２８の外側に銀や塩化銀等の、作用側電極２４と同様の材料からなる膜３０を形成して、剥がした後のシールフィルム２８を適宜変形させて、膜３０を電極とするとよい。
【実施例３】
【００５０】
更に、上記実施例１及び２において、作用側電極構造体は薬物を配合した粘土状物質と作用側電極とから構成されているが、本発明はこれに限定されるものでなく、例えば図６に示される実施例３に係る粘土型イオントフォレーシス装置８０におけるように、作用側電極構造体８２を、作用側電極２４と前記粘土状物質２２との間に、作用側電解液保持部８４及び作用側イオン交換膜８６を設けて構成しても良い。
【００５１】
この場合、前記作用側電解液保持部８４は、前記実施例１における非作用側電極４４の、電極側電解液保持部４６と同一の構成で良い。又、作用側イオン交換膜８６は、前記薬物イオンと反対のイオンを選択するイオン交換膜から構成すれば良い。
【００５２】
更に、上記各実施例において、作用側電極は炭素繊維を含む炭素、銀、塩化銀、金、白金、アルミニウムのいずれかから構成されているが、本発明はこれに限定されるものでなく、他の導電性材料、例えば非作用側電極４４と同様のカーボンペースト等の非金属導電フィラーが配合された導電塗料から構成しても良い。この場合、帯状態のベースシートに導電塗料を塗布する等によって構成される。
【図面の簡単な説明】
【００５３】
【図１】本発明の実施例１に係る粘土型イオントフォレーシス装置を示す略示断面図
【図２】同粘土型イオントフォレーシス装置により足指付け根の水虫を治療する場合の装着状態を示す略示斜視図
【図３】本発明の実施例２に係る粘土型イオントフォレーシス装置の作用側電極構造体を示す斜視図
【図４】同実施例２における作用側電極の変形状態の例を示す斜視図
【図５】同実施例２における作用側電極の他の例を示す斜視図
【図６】本発明の実施例３に係る粘土型イオントフォレーシス装置における作用側電極構造体を示す略示断面図
【符号の説明】
【００５４】
１０、７０、８０…粘土型イオントフォレーシス装置
１２…直流電源
２０、７２、８２…作用側電極構造体
２２、２３…粘土状物質
２４、７４…作用側電極
２６…容器
２８…シールフィルム
３０…膜
４０…非作用側電極構造体
４２…ベースシート
４４…非作用側電極
４６…電極側電解液保持部
４８…電極側イオン交換膜
５０…先端側電解液保持部
５２…先端側イオン交換膜
５５…接続端子
６０Ａ、６０Ｂ…足指
６２…患部
８４…作用側電解液保持部
８６…作用側イオン交換膜
【図１】
2007135882.tif 000003
【図２】
2007135882.tif 000004
【図３】
2007135882.tif 000005
【図４】
2007135882.tif 000006
【図５】
2007135882.tif 000007
【図６】
2007135882.tif 000008